(57)【特許請求の範囲】
【請求項１】
着火性・熱容量の大きい高温粉塵を含む廃ガスをバグフィルタ式集塵機によって清浄化する前にその高温粉塵を除去する装置であって、
密閉箱体状を成し、側壁の上部に廃ガスの供給口を、また天井壁に廃ガスの排出口をそれぞれ設けた除去本体と、
この除去本体の内部における所要位置から上方の空間を、前記供給口の位置する空間と前記排出口の位置する空間とに仕切りかつ前記供給口と対向する箇所に前記高温粉塵が下向きの慣性力を発生するための垂直面を有する仕切り部材と、
前記供給口の真下位置から前記仕切り部材を適宜過ぎた位置までほぼ水平状に延びて前記除去本体内における前記仕切り部材の下端より所要長さ低い位置に配設され、前記仕切り部材に衝突して落下した高温粉塵を捕集する捕集部材と、
上面レベルをこの捕集部材の上面よりも低くして前記除去本体内に装入された水と、
この水の上面レベルより低くかつ水平状態にして前記除去本体内に張設され前記水が波を打ったり水滴になって上昇したりするのを抑止する水の運動抑止部材と、
を備えたことを特徴とする高温粉塵の除去装置。
【請求項２】
前記仕切り部材および／または前記捕集部材を板状体で構成したことを特徴とする請求項1に記載の高温粉塵の除去装置。
【請求項３】
前記水の運動抑止部材をパンチングメタルで構成したことを特徴とする請求項1または２に記載の高温粉塵の除去装置。
【発明の詳細な説明】
【技術分野】
【０００１】
本発明は、燃焼炉やボイラ等で発生する着火性・熱容量の大きい高温粉塵を含む廃ガスをバグフィルタ式集塵機によって清浄化する前にその高温粉塵を除去する装置に関する。
【背景技術】
【０００２】
燃焼炉やボイラ等で発生する着火性・熱容量の大きい高温粉塵を含む廃ガスを集塵機に導いて清浄化する場合に、廃ガス中の火の粉等の着火性・熱容量の大きい高温粉塵がバグフィルタ式集塵機内に送り込まれてバグフィルタを損傷させたり、集塵機の内部で火災事故を引き起こしたりするようなことがしばしば起こっていた。
そのため、この問題を解消すべく、複数個の濾過網体を回転軸に放射状に張設してなる回転濾過機を、廃ガスの入口部と出口部を備えたケーシング内に設け、このケーシングの下端を、水を装入した水槽に臨ませた煙道ガス中の火の粉除去装置が提案されている。    
【特許文献１】実開昭５２−３４４３５公報
【発明の開示】
【発明が解決しようとする課題】
【０００３】
しかし、このように構成された従来の火の粉除去装置では、構造が複雑な上に保守管理も厄介であるなどの問題があった。
【０００４】
本発明は、上記の事情に鑑みてなされたもので、その目的は、構造が簡単で保守管理も比較的容易な高温粉塵の除去装置を提供することにある。
【課題を解決するための手段】
【０００５】
上記の目的を達成するために本発明における高温粉塵の除去装置は、着火性・熱容量の大きい高温粉塵を含む廃ガスをバグフィルタ式集塵機によって清浄化する前にその高温粉塵を除去する装置であって、密閉箱体状を成し、側壁の上部に廃ガスの供給口を、また天井壁に廃ガスの排出口をそれぞれ設けた除去本体と、この除去本体の内部における所要位置から上方の空間を、前記供給口の位置する空間と前記排出口の位置する空間とに仕切りかつ前記供給口と対向する箇所に前記高温粉塵が下向きの慣性力を発生するための垂直面を有する仕切り部材と、前記供給口の真下位置から前記仕切り部材を適宜過ぎた位置までほぼ水平状に延びて前記除去本体内における前記仕切り部材の下端より所要長さ低い位置に配設され、前記仕切り部材に衝突して落下した高温粉塵を捕集する捕集部材と、上面レベルをこの捕集部材の上面よりも低くして前記除去本体内に装入された水と、この水の上面レベルより低くかつ水平状態にして前記除去本体内に張設され前記水が波を打ったり水滴になって上昇したりするのを抑止する水の運動抑止部材と、を備えたことを特徴とする。
【０００６】
このように構成されたものは、集塵機の送風機の吸引作用を受けて、燃焼炉やボイラ等で発生する着火性・熱容量の大きい高温粉塵を含む廃ガスが、廃ガスの供給口から除去本体内に吸引・導入されると、廃ガスは仕切り部材の垂直面に衝突し、仕切り部材に沿い下方へ向かって流れ、仕切り部材の下端と水面の間を通り、その後、上昇して廃ガスの排出口から排出されて集塵機に導入される。そして、廃ガスが仕切り部材に衝突すると、その中の高温粉塵の一部が減速されて捕集部材上に落下する一方、廃ガスが仕切り部材によって下方へ向かって流れることにより、捕集部材上に落下せずに廃ガスに乗った大部分の高温粉塵は、下向きの慣性力が発生して水中に突入し、除去されることになる。
【発明の効果】
【０００７】
以上の説明から明らかなように本発明は、着火性・熱容量の大きい高温粉塵を含む廃ガスをバグフィルタ式集塵機によって清浄化する前にその高温粉塵を除去する装置であって、密閉箱体状を成し、側壁の上部に廃ガスの供給口を、また天井壁に廃ガスの排出口をそれぞれ設けた除去本体と、この除去本体の内部における所要位置から上方の空間を、前記供給口の位置する空間と前記排出口の位置する空間とに仕切りかつ前記供給口と対向する箇所に前記高温粉塵が下向きの慣性力を発生するための垂直面を有する仕切り部材と、前記供給口の真下位置から前記仕切り部材を適宜過ぎた位置までほぼ水平状に延びて前記除去本体内における前記仕切り部材の下端より所要長さ低い位置に配設され、前記仕切り部材に衝突して落下した高温粉塵を捕集する捕集部材と、上面レベルをこの捕集部材の上面よりも低くして前記除去本体内に装入された水と、この水の上面レベルより低くかつ水平状態にして前記除去本体内に張設され前記水が波を打ったり水滴になって上昇したりするのを抑止する水の運動抑止部材と、を備えたから、従来のこの種の装置に比べて構造が簡単な上に、保守管理も非常に容易になり、しかも、廃ガス中の高温粉塵を適確に除去することができるなどの優れた実用的効果を奏する。
【発明を実施するための最良の形態】
【０００８】
以下、本発明を適用した高温粉塵の除去装置の一実施例について図１に基づき詳細に説明する。図示するように、本高温粉塵の除去装置は、密閉箱体状を成し、側壁の上部に廃ガスの供給口１を、また天井壁に廃ガスの排出口２をそれぞれ設けた除去本体３と、この除去本体３の内部における所要位置である後述の捕集部材の下端から所要長さ高い上方の空間を、前記供給口１の位置する空間と前記排出口２の位置する空間とに仕切りかつ前記供給口１と対向する箇所に垂直面を有する仕切り部材としての仕切り板４と、前記供給口１の真下位置から前記仕切り板４を適宜過ぎた位置までほぼ水平状に延びて前記除去本体３内における前記仕切り板４の下端より所要長さ低い位置に配設され、前記仕切り板４に衝突して落下した高温粉塵を捕集する捕集部材としての水平板５と、上面レベルをこの水平板５の上面よりも低くして前記除去本体３内に装入された水６と、この水６の上面レベルより低くかつ水平状態にして前記除去本体３内に張設され前記水６が波を打ったり水滴になって上昇したりするのを抑止する水の運動抑止部材としての多孔構造のパンチングメタル７と、で構成してある。そして、前記供給口１は燃焼炉やボイラ等に、前記排出口２は集塵機にそれぞれ連通接続している。
【０００９】
このように構成したものは、集塵機の送風機の吸引作用を受けて、燃焼炉やボイラ等で発生する着火性・熱容量の大きい高温粉塵を含む廃ガスが、供給口１から除去本体３内に吸引・導入されると、廃ガスは仕切り板４に衝突したのち、仕切り板４に沿い下方へ向かって流れ、仕切り板４と水面の間を通り、その後、上昇して排出口２から排出され集塵機に導入される。そして、廃ガスが仕切り板４に衝突すると、その中の高温粉塵の一部が減速されて水平板５上に落下する一方、廃ガスが仕切り板４に沿い下方へ向かって流れることにより、水平板５上に落下せず廃ガスに乗った大部分の高温粉塵は、下向きの慣性力が発生し、水６中に突入して除去されることになる。そして、廃ガスの圧力によって水６が波を打ったり水滴になって上昇したりするのを、パンチングメタル７によって抑止される。
【図面の簡単な説明】
【００１０】
【図１】本発明を採用した排ガス処理設備の一実施例を示す模式図である。
【符号の説明】
【００１１】
３    除去本体
４    仕切り板
５    水平板
６    水
７    パンチングメタル６
【図１】
0005013253.tif 000002